(57)【要約】【課題】外観がよくスムースに動作するこのできる指詰め防止機能を備えた折戸を提供する。【解決手段】折戸Aの前面側で左右の戸板１、１の間に形成される隙間２の周辺を覆う縦長の覆部３と、該覆部３に連なって左右の戸板１、１の隙間から戸板の背面側に延設された脚部４とによってカバー体５が形成され、このカバー体５が折戸の背面側に配置された弾性紐部材６によって常時折戸の裏側の方向に弾力的に吸引されており、前記弾性紐部材６はその両端部で各戸板の背面に取り付けられた支持体７に保持されている構造。【選択図】図１
2011084949.tif 000002
【特許請求の範囲】
【請求項１】
折戸の前面側で左右の戸板の間に形成される隙間周辺を覆う縦長の覆部と、該覆部に連なって左右の戸板の隙間から戸板の背面側に延設された脚部とによってカバー体が形成され、このカバー体が折戸の背面側に配置された弾性紐部材によって常時折戸の裏側の方向に弾力的に吸引されており、前記弾性紐部材はその両端部で各戸板の背面に取り付けられた支持体に保持されている指詰め防止機能を備えた折戸。
【請求項２】
前記弾性紐部材は、その中間部でカバー体の脚部先端部分に形成された孔を貫通してカバー体と連結されている請求項１に記載の指詰め防止機能を備えた折戸。
【発明の詳細な説明】
【技術分野】
【０００１】
本発明は、折戸を平らに閉じるときに、左右の戸板の隙間に指が挟まることを防止する機能を備えた折戸に関する。
【背景技術】
【０００２】
一般に折戸は、図１０に示すように、センターヒンジ１２によって折りたたみ可能に連結された左右の戸板１１、１１から構成され、各戸板の遊端部がピン等の滑走体１３，１３によってレール１４に保持されている。このような折戸において左右の戸板１１、１１を折りたたんだ姿勢から直線状に閉じる際に、図１１に示すように指先を左右の戸板の間に挟まれることが、特に幼児において発生することがある。そこで従来では、特許文献１や特許文献２に示すような指詰防止機能を備えた折戸が知られている。
【先行技術文献】
【特許文献】
【０００３】
【特許文献１】特開平５−２１３０２０号公報
【特許文献２】特開平７−２１３６３号公報
【発明の概要】
【発明が解決しようとする課題】
【０００４】
しかしながら、特許文献１に示す装置では、左右の戸板を折りたたんだ姿勢において各戸板の端面全体を広く覆うような幅広の板状カバー(11)を取り付けたものであるから、折戸の外観を大きく損なうとともに、折戸とカバーとの間にスライドピンや案内孔等の複雑な連結機構を設ける必要があってコスト高になる、といった問題点がある。
また、特許文献２で開示された装置では、左右の戸板の隙間にアコーデオンのような蛇腹等の遮蔽物(6)を介在させ、この遮蔽物(6)の取付基板(7)を左右の戸板の相対する端面に取り付けて構成されている。従って、蛇腹等の遮蔽物や取付基板を取り付けるためには左右の戸板の間隙を広くする必要があり、このため、折戸を直線状に閉じたときに、左右の戸板間に大きな隙間が生じて折戸の外観を著しく損なうことになり、実用的でないといった欠点があった。
【０００５】
そこで、本発明は、上記従来課題を解決するとともに、外観がよくスムースに動作するこのできる指詰め防止機能を備えた折戸を提供することを目的とする。。
【課題を解決するための手段】
【０００６】
上記課題を解決するために本発明では次のような技術的手段を講じた。即ち、本発明の請求項１に記載の折戸にあっては、折戸の前面側で左右の戸板の間に形成される隙間周辺を覆う縦長の覆部と、該覆部に連なって左右の戸板の隙間から戸板の背面側に延設された脚部とによってカバー体が形成され、このカバー体が折戸の背面側に位置された弾性紐部材によって常時折戸の裏側の方向に弾力的に吸引されており、前記弾性紐部材はその両端部で各戸板の背面に取り付けられた支持体に保持されている構造とした。
【発明の効果】
【０００７】
本発明は上記の如く構成したものであるから、カバー体によって左右の戸板の隙間が埋められて折戸を閉じる際に左右の戸板の間に指を詰めることを確実に防止することができるとともに、カバー体は弾性紐部材によって常時折戸の裏側の方向に弾力的に吸引されているので、折戸の開閉時にカバー体が折戸面に密接してガタツキ無くスムースに作動することができ、且つ、その構成がカバー体と弾性紐部材による簡単な構造であるから低コストで製作できるといった種々の効果がある。
【０００８】
上記発明において、弾性紐部材は、その中間部でカバー体の脚部先端部分に形成された孔を貫通してカバー体と連結されている構成とするのがよい。
これにより、弾性紐部材とカバー体とを簡単に連結することができる。    
【図面の簡単な説明】
【０００９】
【図１】本発明にかかる折戸の断面図であって、折戸閉じ姿勢を示す。
【図２】上記折戸の折りたたみ過程の第１段階を示す断面図。
【図３】上記折戸の折り畳み姿勢を示す断面図。
【図４】本発明におけるカバー体の一部を示す斜視図。
【図５】上記カバー体の天板部分を示す斜視図。
【図６】本発明における支持体の別の実施例を示す断面図。
【図７】本発明におけるカバー体の別の実施例を示す一部の斜視図。
【図８】本発明におけるカバー体の更に別の実施例を示す一部の斜視図。
【図９】本発明におけるカバー体の他の実施例を示す一部の斜視図。
【図１０】従来例を示す斜視図。
【図１１】従来例を示す説明図。
【発明を実施するための形態】
【００１０】
以下において、本発明の詳細をその実施の形態を示す図面に基づいて詳細に説明する。図において、符号Ａは、センターヒンジ(図示外）によって折りたたみ可能に連結された左右の戸板１、１によって形成されている折戸であって、この折戸Ａは、図１〜図４に示すように、折戸の前面側で左右の戸板１、１の間に形成される隙間２の周辺部分を覆う縦長の覆部３と、該覆部３に連なって左右の戸板１，１の隙間から戸板の背面側に延設された薄板状の脚部４とによって形成されたカバー体５を含む。このカバー体５は、左右の戸板１、１の背面側に配置された弾性紐部材６によって常時折戸Ａの裏側の方向に弾力的に吸引されている構成とされている。
【００１１】
前記弾性紐部材６はその両端部で各戸板１、１の背面に取り付けられた支持体７、７に止着され、且つ、弾性紐部材６の中間部が前記脚部４の先端部分に形成された孔４ａに貫通されており、これによりカバー体５と弾性紐部材６とが連結されている。尚、図４はカバー体５の一部分を示す斜視図であって、同図の符号７は左右の戸板１、１を連結するために取り付けられたセンターヒンジ（図示外）を避けるための切欠きである。
【００１２】
前記カバー体５を弾性紐部材６によって常時折戸Ａの裏側の方向に弾力的に吸引させるために、図１の折戸閉じ姿勢において、弾性紐部材６の両端部にける支持体７への止着位置が、脚部４の孔４ａの貫通位置より折戸背面の後方側（図１の下方側）に位置するように配置されている。このために支持体７に立上り部７ａを設けてこの立上り部７ａの先端部分に弾性紐部材６の端部を止着して弾性紐部材６の弾性がカバー体５を常時折戸の裏側の方向に吸引作用するように形成されている。
【００１３】
尚、図５に示すように、カバー体５の上端に水平な天板８をネジ等で固着し、この天板８を戸板１、１の上端面に乗っかるように配置することにより、カバー体５の荷重をを戸板上面で支えるようにするのが好ましい。
【００１４】
次に動作について説明する。図１は、折戸Ａの左右の戸板１、１が直線状に閉じられた姿勢を示す。この閉じ姿勢において、カバー体５は弾性紐部材６によって折戸Ａの裏側の方向に引きつけられているので、カバー体の覆部３が折戸Ａの前面に密接して左右の戸板１、１間の隙間２の周辺部分を隠している。
【００１５】
図１の閉じ姿勢から折戸Ａを折りたたんでいくと、カバー体５は弾性紐部材６によって常時引きつけられているので、折戸の折りたたみ動作の進行に応じてカバー体５が後退すし図２の過程を経えて図３の折り畳み姿勢となる。この折り畳み姿勢において、カバー体５の覆部３が図示のように左右の戸板１、１の端面の一部、好ましくは約半分程度をカバーするような寸法に予め設定しておくのがよい。
【００１６】
折戸Ａを図３の折り畳んだ状態から、図１の閉じ方向に操作すると、折戸の閉じ動作の進行に従ってカバー体の覆部３が左右の戸板１、１の端面に沿って折戸前面方向に押し出され、図１の閉じ姿勢に復帰する。この閉じ過程において、カバー体の覆部３が常に左右の戸板１、１の間にあり、且つ折戸の前面側に向かって押し出すように移動するので、万一左右の戸板１、１の間に指をもって行っても挟まれることがない。
【００１７】
上記実施例では、折戸Ａを図３の姿勢まで折りたたんだ時に、左右の支持体７の立上り部７ａ、７ａの先端が当接した位置で折戸Ａをそれ以上折りたたむことができないが、図６に示すように、立上り部７ａが平らな支持体ベース７ｂに対してヒンジ部７ｃを介して直線となる方向にのみ回動できるように形成しておけば、立上り部７ａ、７ａが当接した後、立上り部７ａが傾倒して左右の戸板１、１を更に折り込むことが可能となる。尚、この場合、支持体ベース７ｂに対する立上り部７ａの立ち上がり角度がやや鈍角に形成することが好ましく、これにより、先端同士が当接したときに容易に傾倒させることができる。また、このようなヒンジ部を備えた支持体７は合成樹脂成形によって一体成形することが可能である。
【００１８】
また、上記実施例で示されたカバー体５の孔４ａは、図７に示すように、脚部上端に開口した直線長溝状の孔４ａ’としてもよく、或いは図８に示すように脚部後端縁に開口する逆Ｌ字形の長孔４ａ”とすることもできる。これにより弾性紐部材６を開口部から簡単に孔４ａ’、４ａ”に嵌め込むことができる。
【００１９】
また上記実施例では、カバー体５の覆部３と脚部４とは合成樹脂による一体成形品で形成したが、図９に示すように、覆部３と脚部４とを別体で形成し、覆部３の背面に縦長のアリ溝３ａを設けるとともに、脚部４の端縁部に嵌合部４ｂを設けて、この嵌合部４ｂをアリ溝３ａに嵌合させることにより両者を結合するように構成してもよい。この場合、脚部４は薄い金属板によって形成することが可能である。
【００２０】
以上、本発明の代表的な実施例について説明したが、本発明は必ずしも上記の実施例の構造のみに特定されるものではない。例えば、図示は省略するが、弾性紐部材６を二つに分割して夫々の弾性紐部材を脚部４と左右の支持体７とに連結するようにしてもよい。また、弾性紐部材６はコイルスプリングで形成することもできる。その他本発明では、その目的を達成し、請求の範囲を逸脱しない範囲内で適宜修正、変更することが可能である。
【産業上の利用可能性】
【００２１】
本発明は、指詰め防止機能を備えた折戸として適用することができる。
【符号の説明】
【００２２】
Ａ  折戸
１  戸板
２  隙間
３  覆部部
４  脚部
4a  孔
５  カバー体
６  弾性紐部材
７  支持体
【図１】
2011084949.tif 000003
【図２】
2011084949.tif 000004
【図３】
2011084949.tif 000005
【図４】
2011084949.tif 000006
【図５】
2011084949.tif 000007
【図６】
2011084949.tif 000008
【図７】
2011084949.tif 000009
【図８】
2011084949.tif 000010
【図９】
2011084949.tif 000011
【図１０】
2011084949.tif 000012
【図１１】
2011084949.tif 000013